(57)【要約】【課題】貯版部に収納可能とする刷版の枚数を多くできる刷版処理装置を提供する。【解決手段】貯版部に、天地方向の両端に折曲部12a，12bを有する複数枚の刷版11を重ねて収納する。刷版移載機24により、貯版部22に刷版11を移載するとともに、貯版部22に移載した刷版11に対して次に移載する刷版11を天地方向にずらした位置に移載する。これにより、貯版部22に複数枚の刷版11を重ねて収納した状態で刷版11の折曲部12a，12bが重なるのを少なくし、貯版部22に収納可能とする刷版11の枚数を多くする。【選択図】図１
2014019026.tif 000002
【特許請求の範囲】
【請求項１】
天地方向の両端に折曲部を有する複数枚の刷版を重ねて収納する貯版部と、
前記貯版部に前記刷版を移載するとともに、前記貯版部に移載した前記刷版に対して次に移載する前記刷版を天地方向にずらした位置に移載する刷版移載機と
を具備していることを特徴とする刷版処理装置。
【請求項２】
前記刷版移載機を前記貯版部への刷版移載位置に移動可能とするとともに、前記貯版部に前記刷版を移載した前記刷版移載機の刷版移載位置に対して、次に前記貯版部に前記刷版を移載する前記刷版移載機の刷版移載位置を前記刷版の天地方向にずらした刷版移載位置とする移動機構を具備している
ことを特徴とする請求項１記載の刷版処理装置。
【請求項３】
前記刷版移載機は、外部から受け入れた前記刷版の位置を天地方向にずらす幅寄せ手段を有している
ことを特徴とする請求項１記載の刷版処理装置。
【請求項４】
前記刷版の天地方向の両端に折曲部を形成し、前記刷版の位置を天地方向にずらして前記刷版移載機へ送り出す版曲げ機を具備している
ことを特徴とする請求項１記載の刷版処理装置。
【発明の詳細な説明】
【技術分野】
【０００１】
本発明は、刷版を貯版部に移載する刷版処理装置に関する。
【背景技術】
【０００２】
従来、例えば、新聞を印刷する印刷工場では、製版機で刷版を製版し、製作された刷版を輪転機に装着して印刷している。そして、製版機で順次製作される複数枚の刷版は、一旦、貯版部に複数枚一括して収納している。
【０００３】
刷版を貯版部に移載するのに刷版移載機が用いられている。この刷版移載機は、水平姿勢の刷版を受け入れる支持部を有し、刷版を受け入れた支持部を貯版部の方向へ傾斜させて刷版を倒し込むことによって貯版部上に移載している。貯版部では、刷版を斜めに立て掛けた状態で複数枚の刷版を重ねて収納している（例えば、特許文献１参照。）。
【先行技術文献】
【特許文献】
【０００４】
【特許文献１】特許第４１８７２０２号公報
【発明の概要】
【発明が解決しようとする課題】
【０００５】
ところで、刷版を輪転機のドラムに装着するために、刷版の天地方向の両端に折曲部が形成されている。
【０００６】
従来、貯版部に複数枚の刷版を重ねて収納した状態では、全ての刷版が重なる方向に対して同じ位置にあるため、全ての刷版の折曲部が重なり、その折曲部の寸法分ずつのピッチで複数の刷版が重なっている。そのため、貯版部に収納できる刷版の枚数が少なく、貯版部による運搬効率が低い問題がある。
【０００７】
本発明は、このような点に鑑みなされたもので、貯版部に収納可能とする刷版の枚数を多くできる刷版処理装置を提供することを目的とする。
【課題を解決するための手段】
【０００８】
請求項１記載の刷版処理装置は、天地方向の両端に折曲部を有する複数枚の刷版を重ねて収納する貯版部と、前記貯版部に前記刷版を移載するとともに、前記貯版部に移載した前記刷版に対して次に移載する前記刷版を天地方向にずらした位置に移載する刷版移載機とを具備しているものである。
【０００９】
請求項２記載の刷版処理装置は、請求項１記載の刷版処理装置において、前記刷版移載機を前記貯版部への刷版移載位置に移動可能とするとともに、前記貯版部に前記刷版を移載した前記刷版移載機の刷版移載位置に対して、次に前記貯版部に前記刷版を移載する前記刷版移載機の刷版移載位置を前記刷版の天地方向にずらした刷版移載位置とする移動機構を具備しているものである。
【００１０】
請求項３記載の刷版処理装置は、請求項１記載の刷版処理装置において、前記刷版移載機は、外部から受け入れた前記刷版の位置を天地方向にずらす幅寄せ手段を有しているものである。
【００１１】
請求項４記載の刷版処理装置は、請求項１記載の刷版処理装置において、前記刷版の天地方向の両端に折曲部を形成し、前記刷版の位置を天地方向にずらして前記刷版移載機へ送り出す版曲げ機を具備しているものである。
【発明の効果】
【００１２】
請求項１記載の刷版処理装置によれば、刷版移載機により貯版部に移載した刷版に対して次に移載する刷版を天地方向にずらした位置に移載するため、貯版部に複数枚の刷版を重ねて収納した状態で刷版の折曲部が重なるのを少なくし、貯版部に収納可能とする刷版の枚数を多くできる。
【００１３】
請求項２記載の刷版処理装置によれば、請求項１記載の刷版処理装置の効果に加えて、移動機構により、刷版移載機を貯版部への刷版移載位置に移動させる際、前に貯版部に刷版を移載した刷版移載機の刷版移載位置に対して、次に貯版部に刷版を移載する刷版移載機の刷版移載位置を刷版の天地方向にずらした刷版移載位置とすることにより、刷版移載機により刷版を天地方向にずらした位置に移載することができる。
【００１４】
請求項３記載の刷版処理装置によれば、請求項１記載の刷版処理装置の効果に加えて、刷版移載機の幅寄せ手段により、外部から受け入れた刷版の位置を天地方向にずらすため、刷版移載機により刷版を天地方向にずらした位置に移載することができる。
【００１５】
請求項４記載の刷版処理装置によれば、請求項１記載の刷版処理装置の効果に加えて、版曲げ機により、刷版の位置を天地方向にずらして刷版移載機へ送り出すため、刷版移載機により刷版を天地方向にずらした位置に移載することができる。
【図面の簡単な説明】
【００１６】
【図１】第１の実施の形態を示す刷版処理装置の平面図である。
【図２】同上刷版処理装置における刷版移載機の移載部が受入位置に位置する側面図である。
【図３】同上貯版部に収納された刷版の枚数が少ない場合で、刷版移載機の移載部が受渡位置に位置する側面図である。
【図４】同上貯版部に収納された刷版の枚数が多い場合で、刷版移載機の移載部が受渡位置に位置する側面図である。
【図５】同上貯版部での刷版の収納状態の例を(a)(b)に示す平面図である。
【図６】同上貯版部での刷版の収納状態の比較例を示す平面図である。
【図７】第２の実施の形態を示す刷版処理装置の平面図である。
【図８】同上刷版移載機の幅寄せ手段を動作させた平面図である。
【図９】第３の実施の形態を示す刷版処理装置の版曲げ機で刷版を天側へシフトさせた平面図である。
【図１０】同上版曲げ機で刷版を地側へシフトさせた平面図である。
【発明を実施するための形態】
【００１７】
以下、第１の実施の形態の刷版処理装置を、図１ないし図６を参照して説明する。
【００１８】
図１および図５に示すように、刷版11は、製版機による描画、表面処理、版曲げなどの製版工程を経て製版されたもので、金属製の薄板で長方形に形成され、その天地方向（長手方向）の一端が天側11a、他端が地側11bであり、天地の両端には輪転機のドラムに装着するための折曲部12a，12bが曲げ加工されている。例えば、天側11aの折曲部12aは略コ字形に折り曲げられ、地側11bの折曲部12bは略Ｖ字形に折り曲げられている。なお、折曲部12a，12bの形状はこれらに限られるものではない。
【００１９】
図１に示すように、製版機で製版された刷版11は、製版ライン15により刷版11の短手方向を搬送方向に向けた水平姿勢で刷版仕分装置21に送り込まれる。
【００２０】
刷版仕分装置21は、刷版11を例えば輪転機毎に収納する複数の貯版部22、および刷版11を例えば輪転機毎に仕分けて各貯版部22に移載するための装置本体23を備えている。さらに、装置本体23は、刷版11を受け入れて貯版部22に移載する刷版移載機24、およびこの刷版移載機24を移動させる移動機構25（図２参照）を備えている。本実施の形態において、貯版部22は、刷版11を収納して運搬可能とする貯版台車26によって構成されている。なお、貯版部22は、貯版台車26に限られるものではなく、例えば固定的に設置されたものでもよく、刷版11を収納できればどのような形態でもよい。
【００２１】
そして、図１ないし図４に示すように、貯版台車26は、刷版11の短手方向が上下方向に向く立て掛けた状態で複数枚の刷版11を収納する。貯版台車26は、台部31を有し、この台部31の下面四隅に走行用のキャスタ32が取り付けられ、台部31の上面後部に貯版台車26を操作するためのバー33が立設されている。なお、貯版台車26は、走行方向に対応した前後方向を有し、後側に貯版台車26を押して走行させるためのバー33が配置されている。
【００２２】
台部31上には、刷版11が立て掛けられる立掛け部34が配設されているとともに、立掛け部34に立て掛けられる刷版11の下側の縁部が載置される一対の載置部35が配設されている。これら立掛け部34および一対の載置部35によって複数枚の刷版11を立て掛けた状態で前後方向に重ねて収納する収納スペース36が形成されている。
【００２３】
立掛け部34は、平板状に形成され、台部31上の後部側に配置されるとともに、上部が貯版台車26の後方に傾斜した状態に立設されている。
【００２４】
一対の載置部35は、表面の摩擦が小さい例えば鏡面仕上げされたステンレス製のパイプで構成され、台部31上に設置された取付台37に取り付けられている。一対の載置部35は、貯版台車26の前後方向に沿って平行に配置されているとともに、前側が高く、後側が低くなるように傾斜されている。
【００２５】
また、図１に示すように、装置本体23の一側の中央位置には、製版ライン15に接続されて搬送されてくる水平姿勢の刷版11を受け入れる刷版搬入部41が形成されている。装置本体23の他側で本実施の形態では３箇所に、貯版台車26が配置されるとともに刷版11を貯版台車26に移載する刷版搬出部42が形成されている。
【００２６】
刷版搬入部41には、製版ライン15で搬送されてくる刷版11を受け入れて刷版移載機24に送り込む送りローラ43が回転可能に配設されている。
【００２７】
各刷版搬出部42には、貯版台車26を位置決めする台車ストッパ44が設けられている。この台車ストッパ44には、貯版台車26を磁力吸着して着脱可能に保持するマグネットが取り付けられている。さらに、各刷版搬出部42には、刷版搬出部42に貯版台車26が配置されていることを検出する例えば近接スイッチなどの台車検出手段が配置されている。
【００２８】
また、図１ないし図４に示すように、刷版移載機24は、移動機構25によって支持されるベース46を有している。このベース46上に、移載部47、およびベース46に対して移載部47を支持する移動部48が搭載されている。
【００２９】
移載部47は、刷版11を支持する支持部49、およびこの支持部49を刷版搬入部41から刷版11を受け入れる受入姿勢（図２参照）と支持部49を傾斜させて刷版11を貯版台車26に受け渡す受渡姿勢（図３および図４の最も時計回り方向に回動した２点鎖線位置を参照）との間で揺動させる揺動部50を有している。
【００３０】
支持部49は、水平姿勢の刷版11を支持可能とする３本のアーム51を有し、これらアーム51が回動軸52を介して一体に連結されている。アーム51は、表面の摩擦が小さい例えば鏡面仕上げされたステンレス製のパイプで構成されている。３本のアーム51のうち、両側のアーム51の先端が中央のアーム51に比べて長く、これら両側のアーム51の先端には刷版11の短手方向の縁部を支えるストッパ53が設けられている。両側のアーム51は回動した際に貯版台車26の構造物とは干渉しないように側方にずれて配置され、中央のアーム51は回動した際に貯版台車26の構造物とは干渉しない長さに形成されている。
【００３１】
揺動部50は、略Ｌ字形の支持フレーム54を有している。この支持フレーム54の基端が移動部48に支持され、支持フレーム54の先端が刷版搬出部42に配置された貯版台車26の収納スペース36の上方域に突出配置されている。支持フレーム54の先端にアーム51の回動軸52が回動可能に取り付けられている。回動軸52にスプロケット55が固定されているとともに、支持フレーム54にスプロケット56が回転可能に取り付けられ、これらスプロケット55，56にチェーン57が巻回され、チェーン57にエアシリンダ58のアクチュエータが連結されている。エアシリンダ58は支持フレーム54に取り付けられている。そして、エアシリンダ58の作動によってチェーン57を回動させることにより、支持部49を刷版搬入部41から刷版11を受け入れる受入姿勢（図２参照）と支持部49を傾斜させて刷版11を貯版台車26に受け渡す受渡姿勢（図３および図４の最も時計回り方向に回動した２点鎖線位置を参照）との間で揺動させる。なお、スプロケットおよびチェーンに代えて、プーリおよびベルトを用いてもよい。
【００３２】
また、移動部48は、ベース46に取り付けられた台座59上に電動シリンダ60が取り付けられ、この電動シリンダ60の駆動によって移動する移動台61上に移載部47が搭載されている。電動シリンダ60は、回転量を制御可能な例えばパルスモータなどによってボールねじを回転させ、このボールねじに噛合するスライダがスライドする構造になっており、スライダに移動台61が連結されている。
【００３３】
移動部48は、刷版11を貯版台車26に受け渡す移載部47の受渡位置を貯版台車26に対して接近、離反する方向に移動させるとともに、貯版台車26に受け渡した刷版11の枚数に応じて移載部47の受渡位置を変化させるように構成されている。すなわち、移動部48は、移載部47を刷版搬入部41から刷版11を受け入れる受入位置（図２参照）と貯版台車26に刷版11を受け渡す受渡位置（図３および図４参照）との間で移動させるとともに、貯版台車26に受け渡した刷版11の枚数に応じて移載部47の受渡位置を変化させるように構成されている。さらに、移動部48は、貯版台車26の移載された刷版11を載置する載置部35が移載部47から離反する方向に下降傾斜されているのに対応して、貯版台車26の載置部35の傾斜方向と平行に移載部47を移動させるように構成されている。
【００３４】
さらに、刷版移載機24には、貯版台車26に刷版11が収納されているか否かを検出する検出手段62が配設されている。この検出手段62は、検知光を投光および受光する反射検知方式の光センサ63が用いられ、この光センサ63から投光される検知光を光センサ63へ向けて反射させる反射体64が各貯版台車26に取り付けられている。光センサ63および反射体64の取付位置は、刷版搬出部42に貯版台車26が装着されている状態で、貯版台車26の構造物によって検知光が遮光されず、貯版台車26に収納された刷版11によって遮光される位置であればよい。
【００３５】
そして、移動部48は、検出手段62で貯版台車26に刷版11が無いことが検出されていることにより、移載部47の受渡位置を貯版台車26側に最も接近する基準位置（初期受渡位置）とし、この基準位置を基準として移載部47の受渡位置を貯版台車26に受け渡した刷版11の枚数が増加するのに応じて貯版台車26から離反するように変化させるように構成されている。
【００３６】
なお、これら移動部48の動作は、刷版移載機24または刷版仕分装置21が有する制御部によって制御する。
【００３７】
また、移動機構25は、刷版移載機24を刷版搬入部41および各刷版搬出部42に対してスライド方向に移動させる。装置本体23上には、刷版移載機24のスライド方向に沿ってガイドレール67およびガイド面68が配設され、刷版移載機24のベース46の下面にはガイドレール67にスライド可能に係合するスライド部69およびガイド面68上を走行する車輪70が取り付けられている。
【００３８】
装置本体23には刷版移載機24をスライド方向に移動させる駆動手段が配置されている。駆動手段は、モータの駆動によって伝達機構71を介して刷版移載機24をスライド方向に移動させる。
【００３９】
そして、移動機構25により、刷版11を移載する各貯版台車26が配置されている各刷版搬出部42に対応した各刷版移載位置に刷版移載機24を移動させる。さらに、移動機構25により、刷版移載機24を貯版台車26への刷版移載位置に移動させる際には、前に貯版台車26に刷版11を移載した刷版移載機24の刷版移載位置に対して、次に貯版台車26に刷版11を移載する刷版移載機24の刷版移載位置を刷版11の天地方向にずらした刷版移載位置とする。
【００４０】
次に、刷版仕分装置21の動作を説明する。
【００４１】
製版機による露光、現像、版曲げなどの製版工程を経て製版された刷版11を、製版ライン15により刷版11の短手方向を搬送方向に向けた水平姿勢で刷版仕分装置21の刷版搬入部41に搬入する。
【００４２】
刷版仕分装置21では、製版ライン15から送り込まれる刷版11を送りローラ43を通じて刷版搬入部41に移動して受入可能状態で待機している刷版移載機24に受け入れる。
【００４３】
刷版移載機24の受入可能状態では、図２に示すように、支持部49のアーム51が略水平な受入姿勢に揺動しているとともに、移動部48によって移載部47が受入位置に移動しており、刷版11をアーム51上に受入可能とする。
【００４４】
刷版11を刷版移載機24のアーム51上に受け入れた後、移動機構25により刷版11を移載する貯版台車26が配置されている刷版搬出部42に対応した刷版移載位置に刷版移載機24を移動させる。
【００４５】
刷版移載機24を刷版搬出部42に移動させた後、検出手段62により刷版11を移載しようとする貯版台車26に刷版11が収納されているか否かを確認する。
【００４６】
そして、検出手段62による確認の結果、貯版台車26に刷版11が収納されていないことが検出された場合には、制御部により移載部47の受渡位置を貯版台車26側に最も接近する基準位置（初期受渡位置）とし、図１に示すように（なお、図１は１枚の刷版11を貯版台車26に移載した状態を示す）、移動部48の電動シリンダ60によりその受渡位置に移載部47を移動させる。
【００４７】
移載部47が受渡位置に移動した後、揺動部のエアシリンダ58を作動させ、アーム51を受入姿勢から受渡姿勢に揺動させる。このとき、アーム51の先端側が下降傾斜し、刷版11がアーム51の先端側に移動するが、刷版11がアーム51の先端のストッパ53に引っ掛かり、刷版11の姿勢が水平姿勢から鉛直姿勢に変換されていってもアーム51から滑り落ちることはない。そして、下降傾斜するアーム51の先端側が貯版台車26の載置部35より低くなることで、鉛直姿勢となった刷版11の下側の縁部が載置部35上に乗り移り、さらに、アーム51で刷版11の上側が押されることにより、刷版11が載置部35上を平行移動するように滑り落ち、刷版11が立掛け部34に立て掛けられた状態で収納される。
【００４８】
この場合、貯版台車26上の刷版11の収納場所は立掛け部34に隣接した場所であるため、移載部47を受渡位置に移動させることにより、移載部47による刷版11の移載場所と貯版台車26上の刷版11の収納場所との前後方向の距離が近くなるとともにその距離は予め決められた一定の値となり、さらに、移載部47による刷版11の移載場所と貯版台車26上の刷版11の収納場所との高さ方向の差が少なくなるとともにその高さの差は予め決められた一定の値となる。
【００４９】
そして、制御部では、貯版台車26に移載した刷版11の枚数をカウントアップして記憶する。
【００５０】
刷版11の移載後は、アームを移載姿勢から受入姿勢に戻すとともに、移載部47を受入位置に戻し、さらに、刷版移載機24を刷版搬入部41に戻し、刷版移載機24への次の刷版11の受け入れに待機する。
【００５１】
また、検出手段62による確認の結果、貯版台車26に刷版11が収納されていることが検出された場合には、制御部が該当する貯版台車26に移載した刷版11の枚数を把握しているため、制御部により移載部47の受渡位置を該当する貯版台車26に移載した刷版11の枚数から基準位置を基準として割り出し、移動部48の電動シリンダ60によりその受渡位置に移載部47を移動させる。
【００５２】
例えば、図４に示すように、貯版台車26に既に多数の刷版11が移載されている場合には、移載部47を貯版台車26側にあまり移動させない。
【００５３】
その後、上述と同様に刷版移載機24によって刷版11を貯版台車26に移載する。
【００５４】
この場合においても、貯版台車26上の刷版11の収納場所は立掛け部34から最も離れた位置に立て掛けられている刷版11に隣接した場所であるため、移載部47による刷版11の移載場所と貯版台車26上の刷版11の収納場所との前後方向の距離が予め決められた一定の値となり、さらに、移載部47による刷版11の移載場所と貯版台車26上の刷版11の収納場所との高さ方向の差が予め決められた一定の値となる。
【００５５】
ところで、図６に貯版台車26での刷版11の収納状態の比較例を示す。貯版台車26に複数の刷版11を同じ位置に重ねて収納した状態では、全ての刷版11の折曲部12a，12bが重なり、その折曲部12a，12bの曲げ寸法分ずつのピッチで複数の刷版11が重なることになる。そのため、貯版台車26に重ねて収納された刷版11が嵩張り、貯版台車26に収納できる刷版11の枚数が少なくなる。
【００５６】
そこで、刷版移載機24により貯版台車26に刷版11を移載する際、貯版台車26に移載した刷版11に対して、次に移載する刷版11を天地方向にずらした位置に移載する。
【００５７】
具体的には、刷版仕分装置21の移動機構25により、刷版移載機24を貯版台車26への刷版移載位置に移動させる際、前に貯版台車26に刷版11を移載した刷版移載機24の刷版移載位置に対して、次に貯版台車26に刷版11を移載する刷版移載機24の刷版移載位置を刷版11の天地方向にずらした刷版移載位置とする。
【００５８】
図５(a)(b)には、貯版台車26に刷版11を天地方向にずらして移載した状態を示す。なお、立掛け部34に接する刷版11が１枚目である。また、刷版11の枚数は、図５(a)(b)および図６とも同数である。
【００５９】
図５(a)に示す貯版台車26での刷版11の収納状態では、貯版台車26に順に移載する刷版11のうち、奇数枚目の刷版11に対して偶数枚目の刷版11が天側11aにずれて移載されている。奇数枚目の刷版11は同じ位置に移載され、偶数枚目の刷版11は同じ位置に移載されている。これにより、偶数枚目の刷版11の地側11bの折曲部12bが奇数枚目の刷版11の地側11bの折曲部12bの内側に入り込み、３枚目以降の奇数枚目の刷版11の天側11aの折曲部12aが偶数枚目の刷版11の天側11aの折曲部12aの内側に入り込んだ状態に重なるため、図６の場合に比べて、刷版11が重なる方向の寸法を略半分にできる。
【００６０】
このように貯版台車26に刷版11を移載するには、移動機構25により刷版移載機24を停止させる刷版移載位置を、奇数枚目で停止させる刷版移載位置（例えば図１の中央の刷版移載位置の実線位置）と、偶数枚目で停止させる刷版移載位置（例えば図１の中央の刷版移載位置の２点鎖線位置）とにずらすことにより実現できる。
【００６１】
また、図５(b)に示す貯版台車26での刷版11の収納状態では、貯版台車26に順に移載する刷版11のうち、奇数枚目の刷版11に対して偶数枚目の刷版11が地側11bにずれて移載されている。奇数枚目の刷版11は同じ位置に移載され、偶数枚目の刷版11は同じ位置に移載されている。これにより、偶数枚目の刷版11の天側11aの折曲部12aが奇数枚目の刷版11の天側11aの折曲部12aの内側に入り込み、３枚目以降の奇数枚目の刷版11の地側11bの折曲部12bが偶数枚目の刷版11の地側11bの折曲部12bの内側に入り込んだ状態に重なるため、図６の場合に比べて、刷版11が重なる方向の寸法を略半分にできる。
【００６２】
このように貯版台車26に刷版11を移載するには、移動機構25により刷版移載機24を停止させる刷版移載位置を、奇数枚目で停止させる刷版移載位置（例えば図１の中央の刷版移載位置の２点鎖線位置）と、偶数枚目で停止させる刷版移載位置（例えば図１の中央の刷版移載位置の実線位置）とにずらすことにより実現できる。
【００６３】
したがって、刷版移載機24により貯版台車26に移載した刷版11に対して次に移載する刷版11を天地方向にずらした位置に移載するため、貯版台車26に複数枚の刷版11を重ねて収納した状態で刷版11の折曲部12a，12bが重なるのを少なくし、貯版台車26に収納可能とする刷版11の枚数を多くできる。
【００６４】
しかも、移動機構25により、刷版移載機24を貯版台車26への刷版移載位置に移動させる際、前に貯版台車26に刷版11を移載した刷版移載機24の刷版移載位置に対して、次に貯版台車26に刷版11を移載する刷版移載機24の刷版移載位置を刷版11の天地方向にずらした刷版移載位置とすることにより、刷版移載機24により刷版11を天地方向にずらした位置に移載することができる。
【００６５】
次に、第２の実施の形態の刷版処理装置を、図７および図８に参照して説明する。
【００６６】
第２の実施の形態の刷版処理装置においては、刷版仕分装置21は用いられず、刷版移載機24の位置は固定であり、版曲げ機75から送り出された刷版11を刷版移載機24に受け入れ、この刷版移載機24から貯版部22に刷版11を移載するように構成されている。さらに、貯版台車26は用いられず、貯版部22は固定的に設置されている。この貯版部22における刷版11を収納するための構成は貯版台車26の場合と同様である。
【００６７】
刷版移載機24は、版曲げ機75からアーム51上に受け入れた刷版11の位置を天側11aにずらす幅寄せ手段77を有している。この幅寄せ手段77は、例えばエアシリンダ78が用いられ、このエアシリンダ78の作動により進退する当接部79が刷版11の地側11bに当接して押すように構成されている。
【００６８】
そして、例えば図５(a)に示す貯版部22での刷版11の収納状態のように、貯版部22に刷版11を移載するには、図７に示すように、刷版移載機24に奇数枚目の刷版11を受け入れた場合には幅寄せ手段77を動作させずにそのまま移載し、一方、図８に示すように、刷版移載機24に偶数枚目の刷版11を受け入れた場合には幅寄せ手段77を動作させ、刷版11の位置を天側11aにずらすことにより実現できる。
【００６９】
このように、刷版移載機24の幅寄せ手段77により、受け入れた刷版11の位置を天地方向にずらすため、刷版移載機24により刷版11を天地方向にずらした貯版部22の位置に移載することができる。
【００７０】
次に、第３の実施の形態の刷版処理装置を、図９および図１０に参照して説明する。
【００７１】
第３の実施の形態の刷版処理装置においては、第２の実施の形態の刷版処理装置に対して、幅寄せ手段77を用いず、版曲げ機75自体によって刷版11を天地方向にずらして刷版移載機24へ送り出すように構成されている。
【００７２】
版曲げ機75は、刷版11を搬送する搬送部82、搬送部82で搬送する刷版11を位置決め停止させるストッパユニット83、刷版11の裏面を吸着して位置決めするとともに刷版11を天側11aまたは地側11bに移動させる位置決めユニット84、刷版11の天側11aおよび地側11bにそれぞれ折曲部12a，12bを曲げ加工する曲げ部85a，85bを有している。
【００７３】
そして、例えば図５(b)に示す貯版部22での刷版11の収納状態のように、貯版部22に刷版11を移載するには、図９に示すように、版曲げ機75に奇数枚目の刷版11を受け入れた場合には位置決めユニット84で刷版11を天側11aに移載させた後、搬送部82によって刷版11を刷版移載機24に送り出す。一方、図１０に示すように、版曲げ機75に偶数枚目の刷版11を受け入れた場合には位置決めユニット84で刷版11を地側11bに移載させた後、搬送部82によって刷版11を刷版移載機24に送り出す。これにより、版曲げ機75から刷版移載機24に受け入れた刷版11の位置が天地方向にずれる。
【００７４】
このように、版曲げ機75により、刷版11の位置を天地方向にずらして刷版移載機24へ送り出すため、刷版移載機24により刷版11を天地方向にずらした貯版部22の位置に移載することができる。
【００７５】
なお、奇数枚目の刷版と偶数枚目の刷版とを天地方向に交互にずらしたが、例えば、同じ方向に複数枚ずらした後、反対方向にさらに複数枚ずらすようにしても、重ねた刷版11が嵩張るのを低減できる。
【符号の説明】
【００７６】
11    刷版
12a，12b    折曲部
22    貯版部
24    刷版移載機
25    移動機構
75    版曲げ機
77    幅寄せ手段
【図１】
2014019026.tif 000003
【図２】
2014019026.tif 000004
【図３】
2014019026.tif 000005
【図４】
2014019026.tif 000006
【図５】
2014019026.tif 000007
【図６】
2014019026.tif 000008
【図７】
2014019026.tif 000009
【図８】
2014019026.tif 000010
【図９】
2014019026.tif 000011
【図１０】
2014019026.tif 000012